(57)【要約】【課題】    従来ポリエチレンテープロール切断機と保持器の連結はコイルばねで連結されているが切断機とコイルばねの合着の吊具、バネのフック等が指先に当る。テープロールがコイルばねにからみつく等の不具合を解消して安全で簡単に操作できることを目的とする。【解決手段】    テープロール切断機と保持器の連結はゴム帯に交換したことによりコイルばねによる障害もなくなる。ゴム帯はラチエット歯車で巻取られてコンパクトになり軟質ゴムを使用するので手に優しく。ロール筒芯の接触に割り円板の一点にして圧接したことにより取扱いも簡単となり小型なビニール粘着テープをはじめ其の他のロールテープの切断機の保持器として使用できる。【選択図】    図１８
2005022866.tif 000002
【特許請求の範囲】
【請求項１】
テープロールに背負わせた切断機とその保持器（１８）の連結はゴム帯（４）を使用する。切断機の両側板に端面をアリ溝に加工した保持板（２）を扇型に並べ固着してメス型とする。メス型に嵌めこむオス型板（３）を形成してゴム帯（４）を接着させてメス型に合着する。片方の端に金属片（５）を接着させてケース（７）に組込れた巻取軸（１１）の嵌め込み孔に挿嵌する。巻取軸（１１）にラチエット歯車（１２）を挿着して圧接する。切断機と保持器（１８）をゴム帯をアリ溝機構にして連結して巻取軸に巻きつけてラチエット歯車にて圧接することを特徴としたテープロールに背負わせた切断機の保持器。
【請求項２】
両ゴム帯（４）の片端は巻取軸（１１）に挿嵌される。巻取軸（１１）に嵌着されたラチエット歯車（１２）を指先にて操作してゴム帯（４）の巻取り巻ほぐしをするが、ラチエット歯車（１２）を停止させるのに保持筒（１５）に挿嵌した爪（１３）が作用して停止させる。爪（１３）はばね線材を使用するばね線材（１３）は保持筒（１４）に挿入して圧接固定させる。ラチエット歯車（１２）と爪（１３）の噛合わせはケース（７）の両側板に軸受孔を設けて外側より巻取軸（１１）と爪（１３）の保持筒（１５）を挿入して噛み合す。噛み合せ噛外しの操作は保持筒（１５）に爪（１３）を圧接固定した凹みに操作桿（１６）を挿着させ操作する。ラチエット歯車（１２）の爪（１３）をばね線材のねじれ、曲げの彈性を併用したことを特徴とした請求項１記載のテープロールに背負わせた切断機の保持器。
【請求項３】
ケース（７）は三方板枠にして上板はゴム帯（４）の巾よりゆるめの巾にして、両側板をテープロールの筒芯の横揺れを防ぐ案内溝を形成して固着する。テープロールの筒芯の内径より小さい径の割円板（６）の外周面を圧接面として、上板左右ニケ所に固着する。両側板の左右に巻取軸（１１）と爪（１３）保持筒（１５）の軸受孔を設けて組立て裏蓋（１０）を嵌めこむ裏蓋の左右に操作桿（１６）差動溝を切欠く。ラチエット歯車（１２）と爪（１３）の噛み合せ噛外しは爪（１３）の保持筒（１５）に挿嵌した操作桿（１６）を差動させる。その位置決めは片持ばね（９）を作用させる。片持ばね（９）の保持板（８）を裏蓋（１０）に固着して片持ばね（９）を嵌着する裏蓋（１０）に操作桿（１６）を差動溝に入れ先端を突出してケース（７）に嵌めこむ。両ラチエット歯車（１２）のカバー（１７）をビスで取付けて安定させる。切断機と保持器（１８）の圧接面は割円板（６）の外周面の一点にして接触させたことにより摩擦抵抗が少なく円滑に操作することができることを特徴とした請求項１、２記載のテープロールに背負わせた切断機の保持器。
【発明の詳細な説明】
【発明の詳細な説明】
【技術分野】
【０００１】本発明はテープロール切断機の保持器にして巾１８ＭＭ筒芯の直径３０ＭＭロールの外径７５ＭＭのビニール粘着テープを最小としてそれ以上のロールテープの切断機の保持器として使用できる保持器に関するものである。
【背景技術】
【０００２】従来ポリエチレンテープロールに使用せれている切断機の保持器には、コイルばねを使用されている。ポリエチレンテープの積重ねが高いため長いコイルばねを使用されている。テープを使用すると低くなり從ってコイルばねを調節用ナットによりバネカバーに納めるがカバーよりはみ出して指先の障害となる。ポリエチレンテープに静電気がおびていてコイルばねがロールの側面を移動する際にけば立ち糸状にほぐれコイルばねにからみつき取り除くのに刃物などが必要となりロールの品質をおとすことになる。切断機の側板を掴んで操作するが側板にコイルばねの巾具コイルばねのフックがあり指先の障害となる。ロールの筒芯は紙類を使用されているが液体などが付着すると端面より形がくづれ盛り上りして保持器が傾いたり停ったリする障害がある。其の他に片持ばねなどが使用されているがテープロールの積重ねの高いもの筒芯の直径の小さいものには不向きであり限定される（特許第３０６６５８３号）
【発明が解決しようとする課題】
【０００３】切断機と保持器の合着には切断機の側板となる。側板は又切断機を使用する際に掴み取るところでもあるのでなるべく平面にして指先に障害を与えることなく掴みとることのできる保持器。合着は簡単にして緩みなく取りつけ取り外しも簡単にできる保持器。積重ねられたロールの高さに制限なく使い終るまで圧接できる保持器。テープロールに傷つけたり筒芯に障害を与えることのない保持器。以上のことを目的として提供するものである。
【課題を解決するための手段】
【０００４】前述の目的を達成するために本発明の請求項（１）記載の発明はゴム帯を使用したことにより静電気によるテープのからみつき指先等に与える障害をなくしたことを特徴とする。請求項（２）はゴム帯の調節は巻取軸に巻きつけるが巻取軸にラチエット歯車を挿嵌して操作することにより簡潔な小型な機構となり小形なものから大形まで幅広くテープロールに使用できることを特徴とする。請求項（３）は切断機と保持器の接触は割円板の一点にしたことにより摩擦抵抗も少なくなり筒芯の型くづれの障害にも対応できる保持器としたことを特徴とする。
【発明を実施するための最良の形態】
【０００５】以下本発明の実施形態を図示例に基づいて説明する。【０００６】
【図１】
はポリエチレンテープロールに本発明の保持器をセットした斜視図
【０００７】切断機と保持器（１８）の連結はゴム帯（４）を使用する。切断機の側板の側面に端面を傾斜をつけてアリ溝に加工した保持板（２）を左右に扇形に向合せて固着してメス型に嵌めこむオス型板（３）は形成してゴム帯（４）の片方の端に固着させて切断機のメス型に合着するゴム帯（４）の片方の端は金属片（５）を固着して巻取軸（１１）の取付孔に挿嵌する。切断機と保持器（１８）の連結は傾斜をつけたアリ溝の吊具にしたことにより切断機の側面は平面となりゴム帯（４）の取付け取り外しも容易となるゴム帯により静電気の障害もなくなることを特徴とする材質軟質ゴム
【０００８】巻取軸（１１）はゴム帯（４）に嵌着した金属片（５）の取付孔を設けケース（７）の両端に軸受孔を設けて嵌めこむ。直径４ＭＭの巻取軸を一回転するとゴム帯（４）は４ＭＭ×３．１４＝１２．５６ＭＭ巻とられる。ニ回転すると一回転されたゴム帯（４）の厚みが加わり巻取軸の直径が大きくなる４ＭＭ＋ゴム厚１．５ＭＭ×２＝７ＭＭ７ＭＭ×３．１４＝２１．９８ＭＭ  ２１．９８ＭＭ＋１２．５６ＭＭ＝３４．５４ＭＭ二回転すると３４．５４ＭＭの長さのゴム帯が巻取られる高く積み重ねられたロールにも対応できることを特徴とする材質は金属又は合成樹脂。
【０００９】積み重ねられたテープロール等が使用されるとその高さは低くなる。その高低の調節は両ゴム帯（４）の片方の端を金属片（５）を挿嵌した巻取軸（１１）に連結したラチエット歯車（１２）と爪の保持筒（１５）を操作する。爪（１３）はバネ線材を使用する。バネ線材は片方の端を折り曲げ保持筒（１４）に挿入する保持筒（１４）の端を少し離した箇所を圧接して固着させその先端を突出して９０度に折り曲げる。その先端をラチエット歯車（１２）の歯に噛み合す保持筒（１５）の圧接固着した凹に操作桿（１６）を挿嵌してラチエット歯車（１２）と爪（１３）の噛み合せ噛外しの操作をする。材質は保持筒は金属パイプバネは金属材料。
【００１０】ケース（７）は三方板枠にして上板はゴム帯（４）よりゆるめの巾にする。両側板はテープロールの筒芯の横揺れを防ぐ案内溝を形成してラチエット歯車を挿嵌した巻取軸と爪の保持筒（１５）の軸受孔を設けて上板の両側に固着する。上板の左右にテープロールの筒芯の直径より小さい割り円板（６）を外周端面を圧接面として固着する。ロール筒芯にケース（７）の圧接面を割円板（６）の外周端面の一点にして圧接したことにより摩擦抵抗が少なくなりロール筒芯の端面の形くづれや盛り上がりの障害も避けられ円滑に操作することができる。割円板を固着したことを特徴とした材質三方板枠割円板は合成樹脂を使用。
【００１１】両ラチエット歯車（１２）と爪（１３）の噛合せは、ラチエット歯車（１２）に連結した巻取軸（１１）ならびに爪（１３）の保持筒（１５）をケース（７）の外側面より軸受孔に挿嵌させて噛み合す。噛み合せ、噛み外しの操作は爪の保持筒（１５）の爪の圧接固定した凹みに操作桿（１６）を挿着させその操作桿（１６）を噛み合せ位置噛み外しの位置と差動させる。その位置決めはケース（７）の裏蓋（１０）に片持バネ（９）を取付けて位置決めをする。その裏蓋（１０）は操作桿（１６）の差動溝を切欠き片持バネ保持板（８）を固着する。裏蓋の片持バネ保持板（８）に片持ばね（９）を嵌着させる。裏蓋に操作桿（１６）を差動溝より突出してケース（７）に嵌めこむ爪の噛合せ、噛み外しは操作桿（１６）を差動させる簡単に操作して切り替えられることを特徴とした。裏蓋、バネ保持板操作桿は合成樹脂使用。
【００１２】巻取軸（１１）に挿嵌されたラチエット歯車（１２）をケース（７）に挿嵌するには、ケース（７）の裏蓋の表面を天にむけて向って右側に挿嵌する歯車は左回転に左側の歯車は右回転して爪（１３）が歯に噛み合い停止する様に挿嵌する。ケースの外側に嵌めこまれたラチエット歯車（１２）と爪の保持筒（１５）は保護カバー（１７）をビスで取付けて安定させる。
【００１３】切断機をロールテープの外周に背負わせて、ゴム帯（４）を装着した保持器（１８）をロールテープの筒芯に嵌めこみゴム帯（４）のオス型取付板（３）を切断機の側板のメス型の保持板（２）に嵌めこむ。切断機と保持器（１８）を圧接するには保持器（１８）の裏蓋の差動溝より突出した操作桿（１６）を中芯に向って内側に倒すと爪（１３）がラチエット歯車（１２）に噛み合わされて逆回転防止となり両端のラチエット歯車を指先で回して圧接する。操作桿（１６）を逆方向の外側に倒すと爪（１３）が外れてラチエット歯車（１２）巻取軸（１１）が遊転されゴム帯（４）もゆるみ切断機より外すことができる。ロールテープが高く積み重ねから低く使い終るまで簡単に圧接ができ安全に操作できる保持器として使用できる。
【発明の効果】
【００１４】以上に述べたように本発明はゴム帯にて切断器と保持器を連結したことにより切断機の側板との合着は平面となりロールの積重ねの高さには制限なく使用できる。巻取軸にラチエット歯車を挿嵌したことによりテープの使いはじめから使い終るまで一定に圧接ができる。ケースに割円板を固着したことにより摩擦抵抗も少なくなる。ロール本体にも傷つけることなく安全に簡単にいろいろなテープロール粘着テープに使える効果がある。
【図面の簡単な説明】
【図１】    ポリエチレンテープロールに保持器を取り付けた実施形態の斜視図
【図２】    メス型の保持板の斜視図
【図３】    オス型の保持板の斜視図
【図４】    軟質ゴム板の斜視図
【図５】    軟質ゴム板の取付金属片の斜視図
【図６】    割円板の斜視図
【図７】    ケースの斜視図
【図８】    片持バネの保持板の斜視図
【図９】    片持バネの斜視図
【図１０】    裏蓋及び片持バネ取付の斜視図
【図１１】    巻取軸の斜視図
【図１２】    ラチエット歯車の斜視図
【図１３】    ラチエット歯車の爪の斜視図
【図１４】    爪の保持筒の斜視図
【図１５】    爪を保持筒に組み入れて圧着させた斜視図
【図１６】    操作桿の斜視図
【図１７】    ラチエット歯車の保護カバーの斜視図
【図１８】    ケースに部品を組立た全体の斜視図
【図１】
2005022866.tif 000003
【図２】
2005022866.tif 000004
【図３】
2005022866.tif 000005
【図６】
2005022866.tif 000006
【図８】
2005022866.tif 000007
【図９】
2005022866.tif 000008
【図１０】
2005022866.tif 000009
【図１１】
2005022866.tif 000010
【図１３】
2005022866.tif 000011
【図１４】
2005022866.tif 000012
【図１５】
2005022866.tif 000013
【図１６】
2005022866.tif 000014
【図１７】
2005022866.tif 000015
【図１８】
2005022866.tif 000016
【手続補正書】
【提出日】平成15年10月9日(2003.10.9)
【手続補正１】
【補正対象書類名】図面
【補正対象項目名】全図
【補正方法】変更
【補正の内容】
【図１】
2005022866.tif 000017
【図２】
2005022866.tif 000018
【図３】
2005022866.tif 000019
【図４】
2005022866.tif 000020
【図５】
2005022866.tif 000021
【図６】
2005022866.tif 000022
【図７】
2005022866.tif 000023
【図８】
2005022866.tif 000024
【図９】
2005022866.tif 000025
【図１０】
2005022866.tif 000026
【図１１】
2005022866.tif 000027
【図１２】
2005022866.tif 000028
【図１３】
2005022866.tif 000029
【図１４】
2005022866.tif 000030
【図１５】
2005022866.tif 000031
【図１６】
2005022866.tif 000032
【図１７】
2005022866.tif 000033
【図１８】
2005022866.tif 000034